(57)【要約】【課題】音波を用いてデジタルデータを伝送する際に、音声の再生品質の劣化を軽減することのできる技術を提供する。【解決手段】音声信号出力装置１は、各々が異なる変調方式で、供給されるデータを用いて搬送波を変調し、変調信号を生成する複数の変調部を備えている。音声判定部は、入力される音声信号を解析し、解析結果に応じて複数の変調部のうちのいずれかを選択し、選択した変調部にデータを供給する。変調部は、供給されるデータを用いて搬送波を変調し、変調信号を生成する。音声混合部は、変調信号を音声信号に重畳し、スピーカＳＰに出力する。これにより、スピーカＳＰからは、データによって変調された変調信号が重畳された音声信号の表す音声が放音される。【選択図】図２
2009224864.tif 000002
【特許請求の範囲】
【請求項１】
データを取得するデータ取得手段と、
音声信号を取得する音声信号取得手段と、
各々が異なる変調方式で、供給されるデータを用いて搬送波を変調し、変調信号を生成する複数の変調手段と、
前記音声信号取得手段により取得された音声信号を解析する音声解析手段と、
前記音声解析手段による解析結果に応じて前記複数の変調手段のなかから予め定められた条件を満たすものを選択する選択手段と、
前記選択手段により選択された変調手段に対して、前記データ取得手段により取得されたデータを供給するデータ供給手段と、
前記変調手段から出力される変調信号を、前記音声信号取得手段により取得された音声信号に重畳して出力する音声混合手段と、
前記音声混合手段から出力される音声信号を出力する出力手段と
を具備することを特徴とする音声信号出力装置。
【請求項２】
前記音声信号取得手段により取得された音声信号の音圧を検出する音圧検出手段
を具備し、
前記データ供給手段は、前記音圧検出手段により検出された音圧が予め定められた閾値以上である場合に、前記選択手段により選択された変調手段に対して前記データを供給する一方、それ以外の場合には、前記データの供給を停止する
ことを特徴とする請求項１に記載の音声信号出力装置。
【請求項３】
前記複数の変調手段は、各々が異なる周波数帯域の搬送波を用いて変調し、
前記選択手段は、前記音声信号取得手段により取得された音声信号を所定の周波数帯域毎に解析し、解析結果に応じて前記複数の変調手段のなかから予め定められた条件を満たすものを選択する
ことを特徴とする請求項１又は２に記載の音声信号出力装置。
【請求項４】
前記選択手段は、前記音声信号取得手段により取得された音声信号の音圧を所定の周波数帯域毎に検出し、検出された音圧が予め定められた条件を満たす周波数帯域に対応する変調手段を選択する
ことを特徴とする請求項１乃至３のいずれか１項に記載の音声信号出力装置。
【請求項５】
前記音声信号取得手段により取得された音声信号に対して、所定幅の周波数帯域の成分を通過させるバンドパスフィルタを用いてフィルタ処理を施すフィルタ処理手段
を具備し、
前記音声混合手段は、前記変調手段から出力される変調信号を、前記フィルタ処理手段によってフィルタ処理が施された音声信号に重畳して出力する
ことを特徴とする請求項１乃至４のいずれか１項に記載の音声信号出力装置。
【請求項６】
前記出力手段は、前記音声混合手段から出力される音声信号を放音手段に出力する
ことを特徴とする請求項１乃至５のいずれか１項に記載の音声信号出力装置。
【請求項７】
各々が異なる復調方式で、供給される音声信号から変調信号を分離し、分離した変調信号を復調してデータを生成する複数の復調手段と、
収音する収音手段から出力される音声信号を解析する音声解析手段と、
前記音声解析手段による解析結果に応じて、前記複数の復調手段のなかから予め定められた条件を満たすものを選択する選択手段と、
前記選択手段により選択された復調手段に対して、前記収音手段から出力される音声信号を供給する音声信号供給手段と、
前記復調手段により生成されたデータを出力する出力手段と
を具備することを特徴とするデータ出力装置。
【発明の詳細な説明】
【技術分野】
【０００１】
本発明は、音声信号出力装置及びデータ出力装置に関する。
【背景技術】
【０００２】
近年、デジタルデータで搬送波を変調（いわゆるデジタル変調）することによってデータを伝送するための技術が種々提案されている。例えば、特許文献１には、画像（連続静止画、動画等）に音声を付随させる際に、画像の変動に応じて音響を変調させる技術が提案されている。また、特許文献２には、バンドパスフィルタのＩＣ（Integrated Circuit）内蔵化が可能であり、複数の変調方式に対応することのできる多方式音声ＩＦ処理回路が提案されている。また、特許文献３には、デジタル画像データやデジタル音声データなどをアナログ映像信号やアナログ音声信号とともに簡易的に短時間で送信する技術が提案されている。
【特許文献１】特開２００１−１１８０７２号公報
【特許文献２】特開平１０−１３６２８７号公報
【特許文献３】特開平８−３１７３５４号公報
【発明の開示】
【発明が解決しようとする課題】
【０００３】
ところで、デジタルデータを用いて搬送波を変調し、変調した搬送波を音声信号に重畳して放音することによって、音波を用いてデジタルデータを伝送することが考えられる。この場合、放音された音波をマイクロホン等で収音し、収音した音声から変調波を分離し、分離した変調波を復調することでデータを得ることができる。このような音声再生を主目的とした音声再生装置を用いてデジタルデータを伝送することで、簡便なデータ伝送機能を実現することができる。
【０００４】
このように音波を用いてデータ伝送を行う場合、デジタルデータによって変調した搬送波を音声信号に重畳するから、放音される音声には、重畳された搬送波がノイズとなって含まれてしまい、音声の再生品質が低下してしまう場合がある。
本発明は上述した背景の下になされたものであり、音波を用いてデジタルデータを伝送する際に、音声の再生品質の劣化を軽減することのできる技術を提供することを目的とする。
【課題を解決するための手段】
【０００５】
上記課題を解決するため、本発明は、データを取得するデータ取得手段と、音声信号を取得する音声信号取得手段と、各々が異なる変調方式で、供給されるデータを用いて搬送波を変調し、変調信号を生成する複数の変調手段と、前記音声信号取得手段により取得された音声信号を解析する音声解析手段と、前記音声解析手段による解析結果に応じて前記複数の変調手段のなかから予め定められた条件を満たすものを選択する選択手段と、前記選択手段により選択された変調手段に対して、前記データ取得手段により取得されたデータを供給するデータ供給手段と、前記変調手段から出力される変調信号を、前記音声信号取得手段により取得された音声信号に重畳して出力する音声混合手段と、前記音声混合手段から出力される音声信号を出力する出力手段とを具備することを特徴とする音声信号出力装置を提供する。
【０００６】
本発明の好ましい態様において、前記音声信号取得手段により取得された音声信号の音圧を検出する音圧検出手段を具備し、前記データ供給手段は、前記音圧検出手段により検出された音圧が予め定められた閾値以上である場合に、前記選択手段により選択された変調手段に対して前記データを供給する一方、それ以外の場合には、前記データの供給を停止してもよい。
【０００７】
また、本発明の更に好ましい態様において、前記複数の変調手段は、各々が異なる周波数帯域の搬送波を用いて変調し、
前記選択手段は、前記音声信号取得手段により取得された音声信号を所定の周波数帯域毎に解析し、解析結果に応じて前記複数の変調手段のなかから予め定められた条件を満たすものを選択してもよい。
【０００８】
また、本発明の更に好ましい態様において、前記選択手段は、前記音声信号取得手段により取得された音声信号の音圧を所定の周波数帯域毎に検出し、検出された音圧が予め定められた条件を満たす周波数帯域に対応する変調手段を選択してもよい。
【０００９】
また、本発明の更に好ましい態様において、前記音声信号取得手段により取得された音声信号に対して、所定幅の周波数帯域の成分を通過させるバンドパスフィルタを用いてフィルタ処理を施すフィルタ処理手段を具備し、前記音声混合手段は、前記変調手段から出力される変調信号を、前記フィルタ処理手段によってフィルタ処理が施された音声信号に重畳して出力してもよい。
【００１０】
また、本発明の更に好ましい態様において、前記出力手段は、前記音声混合手段から出力される音声信号を放音手段に出力してもよい。
【００１１】
また、本発明は、各々が異なる復調方式で、供給される音声信号から変調信号を分離し、分離した変調信号を復調してデータを生成する複数の復調手段と、収音する収音手段から出力される音声信号を解析する音声解析手段と、前記音声解析手段による解析結果に応じて、前記複数の復調手段のなかから予め定められた条件を満たすものを選択する選択手段と、前記選択手段により選択された復調手段に対して、前記収音手段から出力される音声信号を供給する音声信号供給手段と、前記復調手段により生成されたデータを出力する出力手段とを具備することを特徴とするデータ出力装置を提供する。
【発明の効果】
【００１２】
本発明によれば、音波を用いてデジタルデータを伝送する際に、音声の再生品質の劣化を軽減することができる。
【発明を実施するための最良の形態】
【００１３】
＜Ａ：構成＞
図１は、この発明の一実施形態であるシステムの構成を示す図である。図において、音声信号出力装置１は、データ供給装置６から供給されるデジタルデータを用いて搬送波を変調し、変調した搬送波を、音声信号供給装置５から供給される音声信号に重畳して音波として出力する装置である。収音装置２は、音声信号出力装置１から放音される音声を収音し、収音した音声を表す音声信号からデータを抽出する装置である。収音装置２は、図示のように、インターネット等の通信ネットワーク３を介してサーバ装置４と接続されており、音声信号から抽出したデータを用いて所望する情報をサーバ装置４に問い合わせることができるようになっている。なお、図１に示す例では、収音装置２と通信ネットワーク３とが有線接続されている場合を例示しているが、無線接続されていてもよい。サーバ装置４は、収音装置２からの問い合わせに応じて各種の情報を収音装置２に送信する。
【００１４】
音声信号供給装置５は、音声信号出力装置１に音声信号を供給する装置である。具体的には、音声信号供給装置５は、ハードディスク装置やＣＤ−Ｒ等の記録媒体から楽曲データを読み出す読出手段を備え、読み出したデータを表す音声信号を、音声信号出力装置１に供給する。なお、音声信号出力装置１に供給する音声信号は、記録媒体に記録されたものに限らず、収音するマイクロホンから出力される音声信号であってもよい。この場合は、音声信号供給装置５としてマイクロホンを用いるようにすればよい。要は、音声信号供給装置５は、音声信号出力装置１に音声信号を供給するものであればどのようなものであってもよい。
【００１５】
データ供給装置６は、音声信号出力装置１にデジタルデータを供給する装置である。この実施形態では、データ供給装置６は、予め設定された１２８ビットのデジタルデータを音声信号出力装置１に供給する。この実施形態では、データ供給装置６が供給するデジタルデータは、音声信号出力装置１を識別する識別情報として用いられる。なお、データ供給装置６が供給するデジタルデータのデータ量はこれに限らず、これより多くても少なくてもよい。また、この実施形態では、装置を識別する識別情報をデジタルデータとして供給するが、供給されるデジタルデータが示す内容はこれに限らず、どのような情報であってもよい。
【００１６】
また、この実施形態では、音声信号出力装置１、音声信号供給装置５及びデータ供給装置６がそれぞれ別体として構成されている場合について説明するが、これに限らず、音声信号出力装置１、音声信号供給装置５及びデータ供給装置６の少なくともいずれか２つが一体として構成されていてもよい。
【００１７】
次に、図面を参照しつつ、音声信号出力装置１の構成について説明する。図２は、音声信号出力装置１の構成の一例を示すブロック図である。図において、デジタルデータ入力端子１１には、データ供給装置６から供給されるデジタルデータが入力される。音声信号入力端子１２には、音声信号供給装置５から供給される音声信号が入力される。スピーカＳＰは、音声混合部１６から出力される音声信号に応じて放音する。なお、この実施形態では、スピーカＳＰが音声信号出力装置１に含まれている場合について説明するが、音声信号出力装置１に出力端子を設け、オーディオケーブルを介してその出力端子に外部スピーカを接続する構成としても良い。
【００１８】
変調部１３１，…１３Ｎは、いわゆるデジタル変調を行う複数の変調手段である。変調部１３１，…１３Ｎは各々が異なる変調方式で、供給されるデジタルデータを用いて搬送波を変調し、変調信号を生成する。なお、以下の説明では、変調部１３１，…，１３Ｎを各々区別する必要がない場合には、説明の便宜上、これらを「変調部１３」と称して説明する。なお、搬送波の周波数は、人間の可聴帯域と重ならない帯域に属するものであってもよい。
【００１９】
この実施形態では、変調部１３１，…，１３Ｎはそれぞれ、直交周波数分割多重方式（Orthogonal frequency division multiplex：ＯＦＤＭ）によってデジタル変調を行う。また、変調部１３１，…，１３Ｎはそれぞれ、用いる周波数帯域や帯域幅が異なっている。そのため、それぞれの変調部１３１，…，１３Ｎで変調された搬送波は、変調部１３１，…１３Ｎのそれぞれで異なった特性（周波数、帯域幅等）を有するものとなる。
【００２０】
音声判定部１４は、音声信号入力端子１２に入力された音声信号を解析し、音声の特徴を検出する。より具体的には、この実施形態では、音声判定部１４は、入力された音声信号の音圧を検出し、検出結果を示すデータを変調選択部１５に出力する。また、音声判定部１４は、入力された音声信号の音圧を所定の周波数帯域毎に検出し、予め定められた条件を満たす帯域を特定し、特定結果を示すデータを変調選択部１５に出力する。予め定められた条件としては、例えば、音圧が最も低い帯域を特定するようにしてもよく、また、例えば、音圧が予め定められた閾値以下の帯域を特定するようにしてもよい。
【００２１】
変調選択部１５は、音声判定部１４の解析結果に応じて、複数の変調部１３のなかから予め定められた条件を満たすものを選択する。このとき、変調選択部１５は、音声判定部１４によって検出された音声の特徴に応じて、その音声信号に変調信号を重畳したときに再生音声の品質への影響が小さくなるような変調部１３を選択する。この実施形態では、変調選択部１５は、音声判定部１４によって検出された、音圧が予め定められた条件を満たす周波数帯域に対応する変調部１３を選択する。具体的には、例えば、音声判定部１４によって音圧が最も低い帯域が特定された場合には、変調選択部１５は、複数の変調部１３のなかから、その帯域を用いて変調を行う変調部１３を選択する。なお、変調選択部１５が選択する変調部１３の数は１であってもよく、複数であってもよい。また、解析結果によってはいずれも選択しない（すなわち変調処理を施さない）ようにしてもよい。なお、この選択処理としては、例えば、音声の特徴と変調部１３との対応関係を示すテーブルを予め記憶しておき、このテーブルを参照して検出された特徴に対応する変調部１３を選択するようにしてもよく、また、これに限らず、音声の特徴に応じて選択するものであればどのようなものであってもよい。
【００２２】
変調選択部１５は、選択した変調部１３に対して、デジタルデータ入力端子に入力されたデジタルデータを供給する。このとき、変調選択部１５は、音声信号から検出された音圧の値に応じて異なる処理を行う。より具体的には、変調選択部１５は、音声判定部１４によって判定された音圧が予め定められた閾値を超える場合には、選択した変調部１３に対してデジタルデータを供給する一方、それ以外の場合には、入力されたデジタルデータの変調部１３への供給を停止する。
【００２３】
変調部１３は、変調選択部１５からデジタルデータが供給されると、供給されたデジタルデータを用いて搬送波を変調し、変調信号を生成し、生成した変調信号を音声混合部１６に出力する。
【００２４】
音声混合部１６は、変調部１３から出力される変調信号を、音声信号入力端子１２に入力された音声信号に重畳して、スピーカＳＰに出力する。スピーカＳＰは、音声混合部１６から供給される音声信号に応じて放音する。これにより、スピーカＳＰからは、デジタルデータを用いてデジタル変調された変調信号が重畳された音声信号の表す音声が放音される。
【００２５】
音声判定部１４は所定単位時間毎に随時音声解析を行い、解析結果を変調選択部１５に供給する。変調選択部１５は、音声判定部１４から供給される解析結果に応じて、選択する変調部１３を動的に変更する。これにより、入力される音声信号のその時々の特徴に応じた変調部１３が選択されることとなる。
【００２６】
次に、収音装置２の構成について、図面を参照しつつ説明する。図３は、収音装置２の構成の一例を示すブロック図である。図において、マイクロホンＭＡは、収音装置２の周囲で収音し、収音した音声を表す音声信号を出力する。なお、この実施形態では、マイクロホンＭＡが収音装置２に含まれている場合について説明するが、収音装置２に入力端子を設け、オーディオケーブルを介してその入力端子に外部マイクロホンを接続する構成としても良い。
【００２７】
復調部２３１，…２３Ｎは、各々が異なる復調方式で復調を行う復調手段である。なお、以下の説明では、復調部２３１，…，２３Ｎを各々区別する必要がない場合には、説明の便宜上、これらを「復調部２３」と称して説明する。復調部２３はそれぞれ、ＯＦＤＭ方式によって変調された変調信号を復調する。復調部２３は、所定幅の帯域の成分を透過させるバンドパスフィルタを用いて音声信号にフィルタ処理を施すことにより、変調信号を抽出し、抽出した変調信号を復調して、変調信号が表すデータを生成する。
【００２８】
復調部２３はそれぞれ、異なる帯域の成分を通過させるバンドパスフィルタを用いて音声信号にフィルタ処理を施す。このバンドパスフィルタが通過させる帯域は、音声信号出力装置１の複数の変調部１３のそれぞれが変調の際に用いる帯域と対応付けられている。そのため、変調部１３１で変調された変調信号は復調部２３１で復調可能であり、変調部１３２で変調された変調信号は復調部２３２で復調可能であり、…といったように、音声信号出力装置１の変調部１３のいずれかで変調された変調信号は、収音装置２の復調部２３のいずれかで復調可能となっている。
【００２９】
音声判定部２４は、マイクロホンＭＡから出力される音声信号を解析する。より具体的には、音声判定部２４は、音声信号の音圧を所定の周波数帯域毎に検出し、予め定められた条件を満たす帯域を特定し、特定結果を示すデータを復調選択部２５に出力する。予め定められた条件としては、例えば、音圧が予め定められた閾値以下の帯域を特定するようにしてもよい。
【００３０】
復調選択部２５は、音声判定部２４の判定結果に応じて、複数の復調部２３のなかから予め定められた条件を満たすものを選択する。この実施形態では、復調選択部２５は、音声判定部２４によって検出された、音圧が予め定められた条件を満たす周波数帯域に対応する復調部２３を選択する。復調選択部２５が選択する復調部２３の数は１であってもよく、複数であってもよい。また、判定結果によってはいずれも選択しない（すなわち復調処理を施さない）ようにしてもよい。復調選択部２５は、選択した復調部２３に対して、音声信号を供給する。復調部２３は、音声信号が供給されると、供給された音声信号にバンドパスフィルタ処理を施して変調信号を抽出し、抽出した変調信号を復調してデータを生成し、生成したデータをデータ出力部２６に供給する。データ出力部２６は、復調部２３から供給されるデータを、例えば所定の記憶装置に記憶する等することによって、データを出力する。
【００３１】
＜Ｂ：動作＞
次に、この実施形態の動作について説明する。音声信号出力装置１には、音声信号供給装置５から音声信号が供給されるとともに、データ供給装置６からデジタルデータが供給される。音声判定部１４は、供給された音声信号を解析する。変調選択部１５は、音声判定部１４の解析結果に応じて、複数の変調部１３のいずれかを選択し、選択した変調部１３に対してデジタルデータを供給する。変調部１３は、デジタルデータが供給されると、供給されたデジタルデータを用いて搬送波を変調し、変調信号を出力する。音声混合部１６は、変調部１３から出力される変調信号を、音声信号に重畳し、スピーカＳＰに放音する。これにより、スピーカＳＰからは、変調信号が重畳された音声信号を表す音声が放音される。
【００３２】
次に、スピーカＳＰから放音された音声を収音する収音装置２の動作について説明する。スピーカＳＰから放音された音声は、収音装置２のマイクロホンＭＡで収音され、音声信号に変換される。収音装置２は、マイクロホンＭＡによって収音された音声を表す音声信号から変調波を抽出する。具体的には、まず、音声判定部２４が音声信号を解析し、復調方式を特定する。復調選択部２５は、音声判定部２４の解析結果に応じてどの復調部２３を用いるかを選択し、選択した復調部２３に対して音声信号を供給する。復調部２３は、音声信号が供給されると、所定幅の帯域の成分を通過させるバンドパスフィルタを用いて、供給された音声信号にフィルタ処理を施すことにより、音声信号から変調信号を抽出する。次いで、復調部２３は、抽出した変調信号を復調し、変調信号が表すデータを生成する。データ出力部２６は、復調部２３から供給されるデータを出力する。
【００３３】
収音装置２は、出力されるデータを用いて各種の処理を実行する。収音装置２が実行する処理としては、例えば、出力されるデータをサーバ装置４に送信することによってデータの問い合わせを行う。サーバ装置４は、収音装置２からデータを受信すると、予め記憶されたデータベースを参照して、受信されたデータに対応するデータを該データベースから読み出し、読み出したデータを、受信したデータの応答として、収音装置２に送信する。このデータは、例えば、位置を示す情報（例えば、建物内の地図と現在地を示す画像等）や、スピーカＳＰから放音中の楽曲の曲名を示す情報等であってもよく、ユーザにとって有益な情報となり得るものであればどのようなものであってもよい。
【００３４】
以上説明したように本実施形態によれば、音声信号出力装置１が音声信号を解析し、解析結果に応じて複数の変調部１３のなかから予め定められた条件を満たすものを選択する。このように、音声信号の特徴に応じて、用いる変調方式や、変調処理を行うか否かを動的に切り替えるから、これにより、再生音声品質への変調信号の影響を少なくすることができる。
【００３５】
また、本実施形態においては、有音（音圧が予め定められた閾値以上）の時間区間においては音声信号に変調信号が重畳されるから、有音区間においてはノイズの混在した音声が放音される。一方、音声信号が無音（音圧が予め定められた閾値以下）の時間区間においては音声信号に変調信号が重畳されないから、無音区間においてはノイズの混在しない音声信号となる。無音区間で発生するノイズは有音区間で発生するノイズよりも耳障りに感じられる場合があるが、本実施形態では、上述したように、無音区間においては変調信号を音声信号に重畳しないから、これにより、無音区間でのノイズの発生を防ぐことができ、これにより、全体として放音される音声の品質劣化を軽減することができる。
【００３６】
また、本実施形態では、音声の周波数成分を分析して音圧の低い周波数帯域を検出し、検出した帯域を用いてデジタル変調を行うから、これにより、デジタルデータをより正確に伝送することができる。
【００３７】
＜Ｃ：変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
（１）上述の実施形態では、音声信号出力装置１の音声判定部１４が、音声信号の音圧を検出するようにしたが、音声判定部１４が検出する音声の特徴は音圧に限らず、例えば、スペクトル分布等を検出するようにしてもよい。要は、音声信号出力装置１が、音声信号を解析して音声の特徴を検出し、検出した音声の特徴に応じて、該音声信号に変調信号を重畳したときにノイズが小さくなるような変調方式を選択するようにすればよい。
【００３８】
（２）上述の実施形態では、音声信号出力装置１は、音声信号供給装置５から音声信号を取得するとともに、データ供給装置６からデジタルデータを取得したが、音声信号出力装置１が音声信号（又はデジタルデータ）を取得する態様はこれに限らず、例えば、通信ネットワークを介して音声信号（又はデジタルデータ）を受信するようにしてもよく、また、例えば、所定の記憶装置から音声信号（又はデジタルデータ）を読み出すことによって音声信号（又はデジタルデータ）を取得するようにしてもよい。また、例えば、音声信号出力装置１に、音声を収音するマイクロホンを設け、マイクロホンから出力される音声信号を取得するようにしてもよい。要は、音声信号出力装置１が音声信号（又はデジタルデータ）を取得する態様であればどのようなものであってもよい。
【００３９】
（３）上述の実施形態では、変調方式としてＯＦＤＭ方式を用いたが、データを変調する変調方式はこれに限らず、例えば、ＡＳＫ（Amplitude Shift Keying）方式や、ＦＳＫ（Frequency Shift Keying）方式を用いてもよい。例えば、ＡＳＫ方式で変調を行う複数の変調部であって、それぞれが周波数の異なる搬送波を用いて変調を行う複数の変調部を設けるようにしてもよい。要は、データを表す信号を音声信号に重畳させた後に、もとのデータを復元（すなわち復調）することができるものであれば、いかなる方式であってもよい。
【００４０】
また、上述の実施形態では、用いる周波数帯域や帯域幅の異なる複数の変調方式（変調部１３）を用いたが、これに限らず、例えば、ＡＳＫ方式を用いる変調部とＦＳＫ方式を用いる変調部とを、音声信号の解析結果に応じて使い分けるようにしてもよく、要は、各々が異なる変調方式でデジタル変調を行う変調部を複数設け、音声信号の解析結果に応じて、その音声信号に変調信号を重畳したときに再生音声の品質へ影響が少なくなるように、複数の変調部を使い分けるようにすればよい。
【００４１】
（４）上述の実施形態では、無音区間においては変調信号の重畳を行わないようにしたが、これに代えて、無音区間と有音区間とで、変調で使用する周波数帯域を異ならせるようにしてもよい。例えば、無音区間では帯域を広くする一方、有音区間では帯域を狭くし、音質の劣化を軽減させるようにしてもよい。この場合は、具体的には、上述の実施形態において、複数の変調部１３は、変調で用いる帯域幅がそれぞれで異なるようにし、音声判定部１４が音声信号の音圧を検出し、変調選択部１５が、検出された音圧が小さいほど、用いられる帯域幅が広くなるように、複数の変調手段からいずれかを選択するようにすればよい。
【００４２】
また、例えば、逆のパターンを採用し、無音区間でのノイズ感を減らすようにしてもよい。この場合は、例えば、変調選択部１５が、検出された音圧が大きいほど用いられる帯域幅が広くなるように、複数の変調手段からいずれかを選択するようにしてもよい。
このように、変調選択部１５が、音声信号の音圧に応じて、変調処理で用いる周波数帯域の帯域幅を異ならせるようにしてもよい。
【００４３】
（５）上述の実施形態において、図４に示すように、音声信号に対して所定幅の周波数帯域の成分を通過させるバンドパスフィルタを用いてフィルタ処理を施すフィルタ処理部１７を設けるようにしてもよい。この場合は、音声混合部１６は、変調部１３から出力される変調信号を、フィルタ処理部１７から出力される音声信号に重畳して出力する。
【００４４】
この場合は、具体的には、音声の周波数成分を分析し、音圧の低い周波数帯域を検出する。そして、フィルタ処理部１７が、入力音声にＢＰＦをかけ、所望の帯域の音声を抑圧すると同時に、所望の帯域を使ってデジタルデータを変調した音声を混合して出力する。
【００４５】
このようにすることで、音圧の低い帯域を用いてデータ伝送を行うから、デジタルデータをより正確に伝送することができる。データ伝送で用いる帯域に対してフィルタ処理を施すことにより、データ伝送で用いる帯域においてはデータのみが伝送される（音声信号成分がなくなる）こととなり、データ復調時に、より正確にデータを復調することができる。
【００４６】
（６）上述の実施形態では、無音区間ではデータ伝送を行わないようにしたが、音量が大きい時間区間でのみデータ伝送を行うようにし、音量が小さい時間区間においてはデータ伝送を行わないようにしてもよい。この場合は、入力音声の音圧の高い区間を検出して、変調したデジタルデータを出力するようにすればよい。
音声の音圧が大きいときは音声の劣化に気付きにくいため、音量が大きい時間区間においてのみデータ伝送を行うことで、再生音声の品質劣化を軽減することができる。
【００４７】
上述の実施形態では、音声信号出力装置１の音声混合部１６は、変調信号を重畳した音声信号を、スピーカＳＰに出力したが、出力の態様はこれに限らず、例えば、所定の記憶装置に記憶することによって出力するようにしてもよく、また、例えば、音声信号を通信ネットワークを介して所定の装置に送信することによって出力するようにしてもよく、要は、変調信号が重畳された音声信号を出力するものであればどのようなものであってもよい。
【００４８】
（７）上述した実施形態における音声信号出力装置１及び収音装置２の各部は、ハードウェアとして構成されていてもよく、また、ＣＰＵ等が記憶装置に記憶されたコンピュータプログラムを実行することによってソフトウェアとして実現されるようにしてもよい。この場合に、ＣＰＵ等によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記録した状態で提供し得る。また、インターネットのようなネットワーク経由で音声信号出力装置１や収音装置２にダウンロードさせることも可能である。
【図面の簡単な説明】
【００４９】
【図１】システムの構成の一例を示すブロック図である。
【図２】音声信号出力装置の構成の一例を示すブロック図である。
【図３】収音装置の構成の一例を示すブロック図である。
【図４】音声信号出力装置の構成の一例を示すブロック図である。
【符号の説明】
【００５０】
１…音声信号出力装置、２…収音装置、３…通信ネットワーク、４…サーバ装置、５…音声信号供給装置、６…データ供給装置、１１…デジタルデータ入力端子、１２…音声信号入力端子、１３，１３１，…，１３Ｎ…変調部、１４…音声判定部、１５…変調選択部、１６…音声混合部、１７…フィルタ処理部、２３，２３１，…，２３Ｎ…復調部、２４…音声判定部、２５…復調選択部。
【図１】
2009224864.tif 000003
【図２】
2009224864.tif 000004
【図３】
2009224864.tif 000005
【図４】
2009224864.tif 000006